【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
表示手段を有する表示装置であって、
当該表示装置の上下左右の異なる方向に対して指向性を持つ４つの発光手段及び４つの受光手段と、
前記４つの受光手段の受光タイミングと、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、
他の表示装置の発光手段による発光に対する前記４つの受光手段の受光タイミングに基づいて前記４つの発光手段の発光タイミングを制御する制御手段と、
前記記憶手段に記憶された前記関係と、前記制御手段による制御の結果としての前記４つの受光手段の受光タイミングとに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出手段と、
を備えることを特徴とする表示装置。
【請求項２】
前記４つの発光手段及び前記４つの受光手段は、当該表示装置の上下左右の側面にそれぞれ１つずつ取り付けられていることを特徴とする請求項１に記載の表示装置。
【請求項３】
前記制御手段は、ユーザの指示に従って前記４つの発光手段のうち当該表示装置の左右に対して指向性を持つ２つの発光手段を発光させることを特徴とする請求項１又は２に記載の表示装置。
【請求項４】
表示手段を有する表示装置であって、
４つの他の表示装置の通信手段とそれぞれ通信する４つの通信手段と、
前記４つの通信手段が受信した位置情報と、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、
前記４つの通信手段が受信した位置情報に基づいて前記４つの通信手段による位置情報の送信を制御する制御手段と、
前記記憶手段に記憶された前記関係と前記４つの通信手段が受信した位置情報とに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出手段と、
を備えることを特徴とする表示装置。
【請求項５】
通信ケーブルをそれぞれ接続する４つの接続端子を更に備え、
前記４つの通信手段は、一端が前記４つの接続端子それぞれに接続され他端が前記４つの他の表示装置の接続端子にそれぞれ接続された通信ケーブルを介して、前記４つの表示装置の通信手段とそれぞれ通信する
ことを特徴とする請求項４に記載の表示装置。
【請求項６】
映像信号を受信する受信手段と、
前記映像信号が示す映像のうち前記検出手段が検出した位置に対応する領域を拡大して前記表示手段に表示させる拡大手段と、
を更に備えることを特徴とする請求項１乃至５のいずれか１項に記載の表示装置。
【請求項７】
前記検出手段が検出に失敗した場合にその旨を通知する通知手段を更に備えることを特徴とする請求項１乃至６のいずれか１項に記載の表示装置。
【請求項８】
表示手段を有する表示装置の制御方法であって、
当該表示装置は、
当該表示装置の上下左右の異なる方向に対して指向性を持つ４つの発光手段及び４つの受光手段と、
前記４つの受光手段の受光タイミングと、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、
を備え、
当該制御方法は、
前記表示装置の制御手段が、他の表示装置の発光手段による発光に対する前記４つの受光手段の受光タイミングに基づいて前記４つの発光手段の発光タイミングを制御する制御工程と、
前記表示装置の検出手段が、前記記憶手段に記憶された前記関係と、前記制御工程による制御の結果としての前記４つの受光手段の受光タイミングとに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出工程と、
を備えることを特徴とする制御方法。
【請求項９】
表示手段を有する表示装置の制御方法であって、
当該表示装置は、
４つの他の表示装置の通信手段とそれぞれ通信する４つの通信手段と、
前記４つの通信手段が受信した位置情報と、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、
を備え、
当該制御方法は、
前記表示装置の制御手段が、前記４つの通信手段が受信した位置情報に基づいて前記４つの通信手段による位置情報の送信を制御する制御工程と、
前記表示装置の検出手段が、前記記憶手段に記憶された前記関係と前記４つの通信手段が受信した位置情報とに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出工程と、
を備えることを特徴とする制御方法。
【手続補正２】
【補正対象書類名】明細書
【補正対象項目名】００１１
【補正方法】変更
【補正の内容】
【００１１】
上記課題を解決するために、第１の本発明は、表示手段を有する表示装置であって、当該表示装置の上下左右の異なる方向に対して指向性を持つ４つの発光手段及び４つの受光手段と、前記４つの受光手段の受光タイミングと、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、他の表示装置の発光手段による発光に対する前記４つの受光手段の受光タイミングに基づいて前記４つの発光手段の発光タイミングを制御する制御手段と、前記記憶手段に記憶された前記関係と、前記制御手段による制御の結果としての前記４つの受光手段の受光タイミングとに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出手段と、を備えることを特徴とする表示装置を提供する。
【手続補正３】
【補正対象書類名】明細書
【補正対象項目名】００１２
【補正方法】変更
【補正の内容】
【００１２】
また、第２の本発明は、表示手段を有する表示装置であって、４つの他の表示装置の通信手段とそれぞれ通信する４つの通信手段と、前記４つの通信手段が受信した位置情報と、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、前記４つの通信手段が受信した位置情報に基づいて前記４つの通信手段による位置情報の送信を制御する制御手段と、前記記憶手段に記憶された前記関係と前記４つの通信手段が受信した位置情報とに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出手段と、を備えることを特徴とする表示装置を提供する。
【手続補正４】
【補正対象書類名】明細書
【補正対象項目名】００１３
【補正方法】変更
【補正の内容】
【００１３】
また、第３の本発明は、表示手段を有する表示装置の制御方法であって、当該表示装置は、当該表示装置の上下左右の異なる方向に対して指向性を持つ４つの発光手段及び４つの受光手段と、前記４つの受光手段の受光タイミングと、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、を備え、当該制御方法は、前記表示装置の制御手段が、他の表示装置の発光手段による発光に対する前記４つの受光手段の受光タイミングに基づいて前記４つの発光手段の発光タイミングを制御する制御工程と、前記表示装置の検出手段が、前記記憶手段に記憶された前記関係と、前記制御工程による制御の結果としての前記４つの受光手段の受光タイミングとに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出工程と、を備えることを特徴とする制御方法を提供する。
【手続補正５】
【補正対象書類名】明細書
【補正対象項目名】００１４
【補正方法】変更
【補正の内容】
【００１４】
また、第４の本発明は、表示手段を有する表示装置の制御方法であって、当該表示装置は、４つの他の表示装置の通信手段とそれぞれ通信する４つの通信手段と、前記４つの通信手段が受信した位置情報と、当該表示装置の左右の方向である水平ラインに連続して配置された全表示装置の数及び当該全表示装置の中での当該表示装置の位置、並びに当該表示装置の上下の方向である垂直ラインに連続して配置された全表示装置の数及び当該全表示装置の中での当該表示装置の位置と、の関係を記憶する記憶手段と、を備え、当該制御方法は、前記表示装置の制御手段が、前記４つの通信手段が受信した位置情報に基づいて前記４つの通信手段による位置情報の送信を制御する制御工程と、前記表示装置の検出手段が、前記記憶手段に記憶された前記関係と前記４つの通信手段が受信した位置情報とに基づいて、前記水平ラインに連続して配置された全表示装置の数及び当該全表示装置の中での当該表示装置の位置、並びに前記垂直ラインに連続して配置された全表示装置の数及び当該全表示装置の中での当該表示装置の位置を検出する検出工程と、を備えることを特徴とする制御方法を提供する。